(57)【要約】【課題】  管理対象の無停電電源装置の数を増設等で増やす場合に極力少ない工数及びコストで対応することができ、また、伝送容量の少ない通信回線にて無停電電源装置の状態情報を送信する際に、その状態情報による通信回線の占有を防止することによって、他の目的の通信を並列して使用すること。【解決手段】  各ＵＰＳ１２−１〜１２−６の状態を示す情報を受信処理して１対１で管理する各ＵＰＳエージェント１４−１〜１４−６から、子のデータ収集部１６−１，１６−２がＵＰＳ状態情報を収集して記憶し、これら記憶されたＵＰＳ状態情報を親のデータ収集部１６−３が更に収集して記憶し、この一括して記憶された各ＵＰＳ状態情報をＵＰＳ状態表示部１８で表示する。これによって、親のデータ収集部１６−３が、間接的に全てのＵＰＳ１２−１〜１２−６を一元管理している状態とする。【選択図】      図１
2005137136.tif 000002
【特許請求の範囲】
【請求項１】
複数の無停電電源装置の状態を管理する無停電電源装置管理システムにおいて、
無停電電源装置の状態を示す情報を受信して管理を行うための処理を施すことにより当該無停電電源装置を１対１で管理する管理手段と、
相互に接続された互いが、親子関係である親及び子の何れか一方に設定され、この設定された子に対して、グループ分けされた少なくとも１つ以上の前記管理手段が接続され、この管理手段で管理される無停電電源装置の状態情報を当該子が収集して記憶し、この記憶された状態情報を子が親へ転送し、この転送された状態情報を親が記憶するデータ収集手段と
を備えたことを特徴とする無停電電源装置管理システム。
【請求項２】
前記無停電電源装置、前記管理手段及び前記データ収集手段を表示し、この表示された構成要素の全てを設定操作によって任意にツリー状態に接続し、この接続時にデータ収集手段の親子関係を設定操作できるように制御する表示制御手段を
更に備えたことを特徴とする請求項１に記載の無停電電源装置管理システム。
【請求項３】
前記子のデータ収集手段が、前記無停電電源装置の状態情報を前記親のデータ収集手段へ転送する際に、親のデータ収集手段へ前回転送した状態情報との差分情報及び無停電電源装置の状態に変化が起こった場合の変化分のみの情報の何れか一方を転送する
ことを特徴とする請求項１または２に記載の無停電電源装置管理システム。
【発明の詳細な説明】
【技術分野】
【０００１】
本発明は、停電時などに電源のバックアップを行う無停電電源装置が複数台、通信システム等の１つのシステムに用いられている場合に、各無停電電源装置の動作状態や設定状態などを管理ソフトウェアによって管理する無停電電源装置管理システムに関する。
【背景技術】
【０００２】
従来、複数のＵＰＳ(Uninterruptible Power Supply：無停電電源装置)を管理するソフトウェアは１つであり、この１つの管理ソフトウェアで全てのＵＰＳを一元管理している。この種の従来の管理システムとして、例えば特許文献１に記載のものがある。
特許文献１の管理システムは、各ＵＰＳの接続情報を生成する複数台のグループコントローラと、複数台のグループコントローラ同士を接続する通信ネットワークと、通信ネットワークに接続され、複数台のグループコントローラそれぞれからのＵＰＳの接続情報を受信する上位コントローラとを備え、複数のＵＰＳの接続情報を各グループコントローラから上位コントローラへ送信し、上位コントローラにおいて複数のＵＰＳを管理する管理システムであって、上位コントローラは、複数のＵＰＳの接続情報を記憶するとともに、この接続情報を用いてＵＰＳおよびそれに接続された機器の接続ツリーを表示するように構成されている。
【０００３】
このような構成によって、複数のＵＰＳの接続情報を、各グループコントローラから共通の上位コントローラへ送信することにより、上位コントローラで複数のＵＰＳを一元監視することを可能としている。
【特許文献１】特開２００３−１５３４６５号公報（課題を解決するための手段）
【発明の開示】
【発明が解決しようとする課題】
【０００４】
上記の特許文献１に記載の無停電電源装置管理システムにおいては、上位コントローラで複数のＵＰＳを一元管理するようになっているが、各ＵＰＳを管理するソフトウェアは１つであり、この１つの管理ソフトウェアで全てのＵＰＳを一元管理している。
しかし、管理ソフトウェアは、管理可能なＵＰＳの数に上限があるので、増設などによってＵＰＳの数が上限を越える場合、その都度、管理ソフトウェアを入れ替え又は変更しなければならない。このため、工数及びコストが嵩むという問題がある。
【０００５】
また、全てのＵＰＳは上位コントローラに通信回線で接続されているが、その上位コントローラと各ＵＰＳとを接続する通信回線の伝送容量がＵＰＳ毎に異なる。このため、伝送容量の少ない通信回線で接続されたＵＰＳの動作状態や設定状態などのＵＰＳ状態情報を上位コントローラへ送信した場合、その通信回線が占有されてしまうので、他の目的の通信に使用することができないという問題がある。
【０００６】
本発明は、このような課題に鑑みてなされたものであり、管理対象の無停電電源装置の数を増設等で増やす場合に極力少ない工数及びコストで対応することができ、また、伝送容量の少ない通信回線にて無停電電源装置の状態情報を送信する際に、その状態情報による通信回線の占有を防止することによって、他の目的の通信を並列して使用することができる無停電電源装置管理システムを提供することを目的としている。
【課題を解決するための手段】
【０００７】
上記目的を達成するために、本発明の請求項１による無停電電源装置管理システムは、複数の無停電電源装置の状態を管理する無停電電源装置管理システムにおいて、無停電電源装置の状態を示す情報を受信して管理を行うための処理を施すことにより当該無停電電源装置を１対１で管理する管理手段と、相互に接続された互いが、親子関係である親及び子の何れか一方に設定され、この設定された子に対して、グループ分けされた少なくとも１つ以上の前記管理手段が接続され、この管理手段で管理される無停電電源装置の状態情報を当該子が収集して記憶し、この記憶された状態情報を子が親へ転送し、この転送された状態情報を親が記憶するデータ収集手段とを備えたことを特徴としている。
【０００８】
この構成によれば、各管理手段で管理されている無停電電源装置の状態情報が、子のデータ収集手段で一旦記憶された後に、親のデータ収集手段で収集されるので、親のデータ収集手段で間接的に全ての無停電電源装置を一元管理している状態とすることができる。このように間接的に一元管理を行うので、無停電電源装置を増設しても、この増設された無停電電源装置に１対１で管理手段を接続し、この管理手段を更に任意の子のデータ収集手段に接続すればよい。これによって、従来のように１つで一元管理を行うソフトウェアを入れ替え又は変更するといった工数及びコストが嵩む作業を無くすことができる。
【０００９】
また、本発明の請求項２による無停電電源装置管理システムは、請求項１において、前記無停電電源装置、前記管理手段及び前記データ収集手段を表示し、この表示された構成要素の全てを設定操作によって任意にツリー状態に接続し、この接続時にデータ収集手段の親子関係を設定操作できるように制御する表示制御手段を更に備えたことを特徴としている。
【００１０】
この構成によれば、利用者が、複数の無停電電源装置の状態を管理するための接続構成を任意に設定することができるので、容易に無停電電源装置の増設などを行うことができる。また、各無停電電源装置の状態を一目瞭然に表示可能となる。
また、本発明の請求項３による無停電電源装置管理システムは、請求項１または２において、前記子のデータ収集手段が、前記無停電電源装置の状態情報を前記親のデータ収集手段へ転送する際に、親のデータ収集手段へ前回転送した状態情報との差分情報及び無停電電源装置の状態に変化が起こった場合の変化分のみの情報の何れか一方を転送することを特徴としている。
【００１１】
この構成によれば、親子間での情報転送量を大幅に減少させることができるので、伝送容量の少ない通信回線にてＵＰＳの状態情報を送信する際に、その状態情報による通信回線の占有を防止することができ、これによって、無停電電源装置の状態情報の転送中でも他の目的の通信を並列して使用することができる。
【発明の効果】
【００１２】
以上説明したように本発明は、管理対象の無停電電源装置の数を増設等で増やす場合に極力少ない工数及びコストで対応することができ、また、伝送容量の少ない通信回線にて無停電電源装置の状態情報を送信する際に、その状態情報による通信回線の占有を防止することによって、他の目的の通信を並列して使用することができる。
従って、管理対象の無停電電源装置の数を増設等で増やす場合に極力少ない工数及びコストで対応することができ、また、伝送容量の少ない通信回線にて無停電電源装置の状態情報を送信する際に、その状態情報による通信回線の占有を防止することによって、他の目的の通信を並列して使用することができるという効果がある。
【発明を実施するための最良の形態】
【００１３】
以下、本発明の実施の形態を、図面を参照して説明する。
（実施の形態）
図１は、本発明の実施の形態に係る無停電電源装置管理システムの構成を示すブロック図である。
図１に示す無停電電源装置管理システム１０は、第１〜第６のＵＰＳ１２−１〜１２−６と、第１〜第６のＵＰＳエージェント１４−１〜１４−６と、第１〜第３のデータ収集部１６−１〜１６−３と、ＵＰＳ状態表示部１８とを備えて構成されている。
【００１４】
また、第１〜第６のＵＰＳ１２−１〜１２−６と、第１〜第６のＵＰＳエージェント１４−１〜１４−６とは、各々１対１でシリアルケーブル等の通信ケーブルで接続されており、第１〜第６のＵＰＳエージェント１４−１〜１４−６と、第１〜第３のデータ収集部１６−１〜１６−３と、ＵＰＳ状態表示部１８とは、ＬＡＮ(Local Area Network)２０によって接続されている。
【００１５】
各ＵＰＳエージェント１４−１〜１４−６は、各ＵＰＳ１２−１〜１２−６と１対１で通信を行い、ＵＰＳ状態情報を受信して管理のための処理を施すことによって、各ＵＰＳエージェント１４−１〜１４−６の状態を管理するものである。
データ収集部１６−１はＵＰＳエージェント１４−１〜１４−３と、データ収集部１６−２はＵＰＳエージェント１４−４〜１４−６と、データ収集部１６−３はデータ収集部１６−１，１６−２と通信を行い、各ＵＰＳエージェント１４−１〜１４−６で管理されているＵＰＳ状態情報を収集するものである。
【００１６】
また、各データ収集部１６−１と１６−３間、及び各データ収集部１６−２と１６−３間は、通信を行う機能を備え、ある１つのデータ収集部が親、他のデータ収集部が子となる親子関係となって、親が子からＵＰＳ状態情報を収集するようになっている。
更に、各データ収集部１６−１〜１６−３は、図２に示すように、上記の親子関係情報を記憶する親子関係情報記憶部２２と、後述で説明する構成情報を記憶する構成情報記憶部２４と、ＵＰＳ状態情報を記憶するＵＰＳ状態情報記憶部２６とを備えている。
【００１７】
ＵＰＳ状態表示部１８は、各データ収集部１６−１〜１６−３と順次通信を行い、各データ収集部１６−１〜１６−３で収集されたＵＰＳ状態情報をもとに各ＵＰＳ１２−１〜１２−６の状態を表示すると共に、その表示された各ＵＰＳ１２−１〜１２−６に対してユーザが操作可能なように制御するユーザインターフェースを有するものである。
但し、各ＵＰＳエージェント１４−１〜１４−６、各データ収集部１６−１〜１６−３及びＵＰＳ状態表示部１８は、各々がソフトウェアを用いて実現され、ＬＡＮ２０に接続された図示せぬコンピュータによって動作するようになっている。また、ソフトウェアでなく同機能のハードウェアで構成するようにしてもよい。
【００１８】
このような構成の無停電電源装置管理システム１０における各ＵＰＳ１２−１〜１２−６の状態を管理する処理を説明する。
まず、ユーザは、ＵＰＳ状態表示部１８に各ＵＰＳ１２−１〜１２−６及び各データ収集部１６−１〜１６−３を表示して、各ＵＰＳ１２−１〜１２−６を理論的にグループ分けする作業を行う。例えば図３に示すように、第１及び第２のＵＰＳ１２−１，１２−２を第１グループとし、第３のＵＰＳ１２−３を第２グループとする。そして、第１及び第２グループのＵＰＳ１２−１〜１２−３のＵＰＳ状態情報が、第１のデータ収集部１６−１で収集されるように管理情報ツリーを構成する。この管理情報ツリーの情報は、構成情報の１つとして構成情報記憶部２４に記憶される。
【００１９】
構成情報には、管理情報ツリーの情報の他に、管理情報ツリーで接続関係が定められたＵＰＳエージェント１４−１〜１４−６とデータ収集部１６−１〜１６−３とが通信を行うために必要な情報が含まれる。
また、管理情報ツリーを構成して表示するために必要な情報は、管理情報ツリーの構成要素である各ノードの種類と親子関係の情報である。各ノードは、各々が図４に示すような属性情報ＤＡを持ち、この属性情報ＤＡには、名称、説明等とユーザが管理するための補助情報が含まれる。名称で設定された内容が、管理情報ツリーに表示されるようになっている。
【００２０】
また、各データ収集部１６−１〜１６−３と各ＵＰＳエージェント１４−１〜１４−６とが通信するために必要な情報は、属性情報ＤＡにおける種類１，２、ＩＰアドレス、ポート番号である。これらの情報を、ユーザがＵＰＳ状態表示部１８を使用して設定する。
但し、構成情報は、上記以外にシステム構成番号を持ち、このシステム構成番号は、管理情報ツリーが変更される毎に増加されるようになっている。
【００２１】
このような構成情報が構成情報記憶部２４に記憶された後、第１のデータ収集部１６−１は、その構成情報から該当する第１〜第３のＵＰＳエージェント１４−１〜１４−３と通信を行い、ここで管理されている第１〜第３のＵＰＳ１２−１〜１２−３の状態情報を獲得する。この獲得したＵＰＳ１２−１〜１２−３の状態情報は、ＵＰＳ状態情報記憶部２６に記憶する。
【００２２】
このように記憶されたＵＰＳ状態情報にもとづきＵＰＳ状態表示部１８は、既に表示されている管理情報ツリーにおける該当ＵＰＳ１２−１〜１２−３に、現在の運転状態をアイコンの色で表示する。例えば、故障の場合は赤、正常の場合は緑のように表示する。これによって、ユーザは、管理情報ツリーのアイコンの色で各ＵＰＳ１２−１〜１２−３の運転状況を視覚的に認識することができる。
【００２３】
次に、ユーザが図５に示すように、管理情報ツリーを設定したとする。即ち、図３に示した管理情報ツリーの構成に加え、更に、第４のＵＰＳ１２−４を第３グループとし、第５のＵＰＳ１２−５を第４グループとしたとする。また、第５グループの第６のＵＰＳ１２−６は、後に増設されたものであるとする。
各グループの設定後、第１及び第２のデータ収集部１６−１，１６−２を、第３のデータ収集部１６−３に接続する。即ち、第３のデータ収集部１６−３で管理する対象を第１及び第２のデータ収集部１６−１，１６−２とする。この場合、ユーザは、第３のデータ収集部１６−３が第１及び第２のデータ収集部１６−１，１６−２と接続可能にするための情報を、属性情報ＤＡのＩＰアドレス、ポート番号等によって設定する。この設定情報を第３のデータ収集部１６−３は、構成情報と親子関係情報として各記憶部２４，２２に記憶する。
【００２４】
更に、第３のデータ収集部１６−３は、第１のデータ収集部１６−１から当該第１のデータ収集部１６−１の構成情報を取り込む。この時、第３のデータ収集部１６−３は、第１のデータ収集部１６−１に親であることを通知する。第１のデータ収集部１６−１は、親子関係情報記憶部２２に、第３のデータ収集部１６−３が親であることを示す親子関係情報を記憶する。更に、第３のデータ収集部１６−３は、第１のデータ収集部１６−１が管理している各ＵＰＳ１２−１〜１２−３の状態情報を当該データ収集部１６−１から獲得し、自データ収集部１６−３のＵＰＳ状態情報記憶部２６に記憶する。
【００２５】
次に、これと同様に、第３のデータ収集部１６−３は、第２のデータ収集部１６−２からも同様に、構成情報、親子関係情報及びＵＰＳ状態情報を取り込む。そして、第１及び第２のデータ収集部１６−１，１６−２を介して間接的に、各ＵＰＳ１２−１〜１２−６を管理する。
このような管理処理においては、親のデータ収集部１６−３が直接管理しているＵＰＳの数は０である。しかし、各ＵＰＳ１２−１〜１２−６の状態を示す情報を受信処理して１対１で管理する各ＵＰＳエージェント１４−１〜１４−６から、子のデータ収集部１６−１，１６−２がＵＰＳ状態情報を収集して記憶し、これら記憶されたＵＰＳ状態情報を親のデータ収集部１６−３が更に収集して記憶し、この一括して記憶された各ＵＰＳ状態情報をＵＰＳ状態表示部１８で表示するようにした。
【００２６】
これによって、親のデータ収集部１６−３が、間接的に全てのＵＰＳ１２−１〜１２−６を一元管理している状態とすることができる。
このように間接的に一元管理を行う無停電電源装置管理システムにおいては、ＵＰＳを増設しても、この増設されたＵＰＳに１対１でＵＰＳエージェントを接続し、このＵＰＳエージェントを更に任意のデータ収集部に接続すればよい。これによって、従来のように１つで一元管理を行うソフトウェアを入れ替え又は変更するといった工数及びコストが嵩む作業を無くすことができる。従って、管理対象のＵＰＳの数を増設等で増やす場合に極力少ない工数及びコストで対応することができる。
【００２７】
また、子のデータ収集部１６−１，１６−２は、全てのＵＰＳエージェント１４−１〜１４−６に記憶されているＵＰＳ状態情報を、そのまま親のデータ収集部１６−３に転送するのではく、先に親のデータ収集部１６−３に転送したＵＰＳ状態情報との差分情報、又は、ＵＰＳ状態に変化が起こった場合の変化分のみの情報を、親のデータ収集部１６−３に転送する。
【００２８】
この場合、親のデータ収集部１６−３は、子のデータ収集部１６−１，１６−２の構成情報の変化を把握する必要があり、次の２つの方法がある。
１つ目は、親のデータ収集部１６−３が定期的に子のデータ収集部１６−１，１６−２と通信を行い、親のデータ収集部１６−３が把握している子のデータ収集部１６−１，１６−２のシステム構成番号が異なる場合に、子のデータ収集部１６−１，１６−２の構成情報を読み直す方法である。２つ目は、子のデータ収集部１６−１，１６−２が自構成情報の変化を、親のデータ収集部１６−３に通知する方法である。
【００２９】
これによって、親子間での情報転送量を大幅に減少させることができるので、伝送容量の少ない通信回線にてＵＰＳの状態情報を送信する際に、その状態情報による通信回線の占有を防止することができ、これによって、ＵＰＳ状態情報の転送中でも他の目的の通信を並列して使用することができる。
また、各ＵＰＳエージェント１４−１〜１４−６、各データ収集部１６−１〜１６−３及びＵＰＳ状態表示部１８は、ネットワークを介して通信するソフトウェアであり、お互い独立したソフトウェアになっている。このため、これらのソフトウェアを同一のコンピュータ上で動作させることも可能である。
更に、各データ収集部１６−１〜１６−３は、同一ソフトウェアであるため、更に大規模のＵＰＳを管理するために、現在親となっているデータ収集部１６−３の上位に、別のデータ収集部を親として接続することも可能である。
【図面の簡単な説明】
【００３０】
【図１】本発明の実施の形態に係る無停電電源装置管理システムの構成を示すブロック図である。
【図２】上記実施の形態に係る無停電電源装置管理システムのデータ収集部の記憶構成を示す図である。
【図３】上記実施の形態に係る無停電電源装置管理システムにおける管理情報ツリーの構成を示す図である。
【図４】上記実施の形態に係る無停電電源装置管理システムにおける他の管理情報ツリーの構成を示す図である。
【図５】上記データ収集部の構成情報記憶部に記憶される構成情報に含まれる属性情報の記述内容を示す図である。
【符号の説明】
【００３１】
１０  無停電電源装置管理システム
１２−１〜１２−６  第１〜第６のＵＰＳ
１４−１〜１４−６  第１〜第６のＵＰＳエージェント
１６−１〜１６−３  第１〜第３のデータ収集部
１８  ＵＰＳ状態表示部
２０  ＬＡＮ
２２  親子関係情報記憶部
２４  構成情報記憶部
２６  ＵＰＳ状態情報記憶部
【図１】
2005137136.tif 000003
【図２】
2005137136.tif 000004
【図３】
2005137136.tif 000005
【図４】
2005137136.tif 000006
【図５】
2005137136.tif 000007